(57)【特許請求の範囲】
【請求項１】
中央片及びその中央片から同方向に折曲された両脚片により略Ｕ字状に形成され、両端部である両脚片は同一平面上で曲げられた曲がり部がそれぞれ設けられて一端側に交流電圧が印加されるとともに他端側から両交流用電路を通して負荷側に交流電圧を出力する両端子片と、両交流用電路の漏電を検知するために両端子片の両端部を導出した状態でそれぞれ挿通される挿通孔を設けて交流用電路の漏電を検知する零相変流器と、両端子片のそれぞれの両端に設けられた幅狭部が貫通してかしめ固定される貫通孔が複数個穿設されたベースと、を備えた漏電検知器であって、前記両端子片は、前記曲がり部とは異なる平面に位置する異平面部が前記曲がり部と前記幅狭部との間に両側から立設するようにして設けられたことを特徴とする漏電検知器。
【請求項２】
前記曲がり部とは異なる平面に位置する異平面部は、２度折曲されてかしめ固定の際にベースと平行な面を成すよう前記曲がり部と前記幅狭部との間に設けられた異平面部と、この異平面部とは交差する異なる平面に位置する異種の異平面部であって２度直角に折曲されることによって前記曲がり部とは異なる平面に位置することとなった先端寄りの箇所の両側を局部的に幅広く形成するよう、幅狭部とは同一の平面に設けられている異種の異平面部とが、複数の異なる平面にそれぞれ設けられたことを特徴とする請求項１記載の漏電検知器。
【発明の詳細な説明】
【０００１】
【発明の属する技術分野】
本発明は、漏電の発生を検知する漏電遮断器に関するものである。
【０００２】
【従来の技術】
従来より、交流電源の電路の漏電を検知して、交流電源の電路に接続された接点を遮断する接点遮断部に遮断信号を出力する漏電検知器があった。この漏電検知器を図１８乃至図２２に示す。
【０００３】
漏電検知器１の交流入力部たる交流入力端子ｔ1a，ｔ1bには、リレ−又はトリップ機構月スイッチからなる接点遮断器２の接点２１, ２１を介して、交流電源の電路Ｌ1 ，Ｌ2 が接続されており、交流入力端子ｔ1a，ｔ1bに印加された交流電源は漏電検知器１内をスルーして、交流出力部たる交流出力端子ｔ2a，ｔ2bから負荷側の機器３に電源供給される。機器３は、例えばランプ３１やヒータ３２や電源装置３３などからなり、電源装置３３は電路Ｌ1 ，Ｌ2 から供給された交流電源を直流電源に変換して、コントローラ３４や後述する漏電検知器１のＩＣ１２に電源供給する。
【０００４】
漏電検知器１は、交流入力端子ｔ1a，ｔ1bと交流出力端子ｔ2a，ｔ2bとをそれぞれ接続する導体１５，１５が中央孔に挿通されるとともに、導体１５に不平衡電流が流れるのを検出する零相変流器（以下、ＺＣＴと略す）１１と、ＺＣＴ１１の漏電検知信号に応じて電路Ｌ1 ，Ｌ2 に接続された接点を遮断させる遮断信号を発生するＩＣ１２とを備え、ＩＣ１２などから信号処理部１０が構成される。ここで、漏電検知器１は、ＺＣＴ１１の漏電を検知して漏電検知信号を発生すると、ＩＣ１２がＺＣＴ１１の漏電検知信号を増幅して遮断信号出力端子ｔ3 から接点遮断器２へ遮断信号を出力し、接点遮断器２が漏電検知器１から入力された遮断信号に基づいて接点２１，２１をオフして、負荷への電源供給を遮断する。
【０００５】
また、漏電検知器１は、外部のコントローラ３４から漏電検知以外の検知信号（例えば、タイマー信号や転倒信号や感震信号など）が入力される外部入力端子ｔ4 と、外部のコントローラ３４へ漏電検知信号を出力するための外部出力端子ｔ5 とを備えている。外部入力端子ｔ4 にコントローラ３４から漏電検知以外の検知信号が入力されると、信号処理部１０は外部入力端子ｔ4 から入力された検知信号を遮断信号として遮断信号出力端子ｔ3 から接点遮断器２へ出力し、接点遮断器２では漏電検知器１から入力された遮断信号に基づいて接点２１，２１を遮断する。また、漏電検知時に、ＩＣ１２は遮断信号出力端子ｔ3 から接点遮断器２へ遮断信号を出力するとともに、外部出力端子ｔ5 からコントローラ３４へ漏電検知信号を出力すふので、コントローラ３４は漏電検知器１から入力された漏電検知信号を信号処理して、例えば漏電検知の表示を行うことができる。さらに、コントローラ３４は、漏電検知器１から入力された漏電検知信号によって、接点遮断器２が漏電検知により接点２１を遮断したのか、或いは、漏電検知以外の検知信号により接点２１を遮断したのかを区別することができる。なお、電源端子ｔ8 ，ｔ9 には電源装置３３は接続され、ＩＣ２１には電源装置３３の直流電源が供給されている。
【０００６】
ところで、テスト用端子ｔ6 は抵抗１３を介して交流入力端子ｔ1aに接続され、テスト用端子ｔ7 は交流出力端子ｔ2bに接続されており、テスト用端子ｔ6 ，ｔ7 及び抵抗１３からテスト用回路１７が構成される。ここで、テスト用端子ｔ6 ，ｔ7 間を短絡することによって、疑似的な漏電を発生させ、漏電検知器１の動作を確認することができる。
【０００７】
この漏電検知器１の分解斜視図を図１９に、外観斜視図を図２０に、断面図を図２１に示す。漏電検知器１は、一面開口した略箱上の樹脂製のケース４と、ケース４の開口を覆う樹脂製のカバー５とから器体６が構成され、器体６の内部には上述した信号処理部１０などを構成する回路が実装されたプリント基板７が納装されている。
【０００８】
ケース４の側面のうち対向する２面にはそれぞれ、ケース４の内部と連通する係止孔４１が穿設され、ケース４の底面にはプリント基板７に半田付けされた遮断信号出力端子ｔ3 、外部入力端子ｔ4 、外部出力端子ｔ5 及び電源端子ｔ8 ，ｔ9 などの直流信号を入出力する信号入出力部たる端子７ａが挿通される端子挿通孔４２が穿設されており、端子７ａはケース４の下面から外部に露出する。ここで、端子７ａにプリント基板実装用の端子を用いているので、漏電検知器１を実装する外部のプリント基板（図示せず）に端子７ａを半田付けすることによって、漏電検知器１をプリント基板に容易に実装することができる。なお、端子７ａは全てＤＣラインであり、プリント基板７の配線パターンにより、端子７ａの電気的接続が行われる。
【０００９】
カバー５は、平板５０の両端から脚片５１，５１が垂下されて、略コ字状に形成されており、係止孔４１，４１に対応する両脚片５１，５１の部位には外側に突出する係止爪５３，５３がそれぞれ突設されている。
【００１０】
カバー５の平板５０には、交流入力端子ｔ1a，ｔ1bをそれぞれ構成する電源側のタブ端子５４ａ，５４ｂ、交流出力端子ｔ2a，ｔ2bをそれぞれ構成する負荷側のタブ端子５５ａ，５５ｂ、及び、テスト用端子ｔ6 ，ｔ7 をそれぞれ構成するタブ端子５６ａ，５６ｂがそれぞれかしめ固定されており、これらのタブ端子５４ａ，５４ｂ，５５ａ，５５ｂ，５６ａ，５６ｂは全てＡＣラインである。
【００１１】
ここで、図２２（ａ）〜（ｃ）に示すように、電源側のタブ端子５４ａと負荷側のタブ端子５５ｂとは同一形状に形成されており、タブ端子５４ａ，５５ｂは一端部に外部との電気的接続に用いられる舌片５７が設けられ、他端部に抵抗のリード線や電線などをかしめ固定するためのＵ字状の切欠部５６と、側方に伸びる略Ｌ字状の延設片５９とが設けられている。また、タブ端子５４ａ，５５ｂの基部には側方に突出する突起６０，６０が突設されている。
【００１２】
同様に、負荷側のタブ端子５５ａと電源側のタブ端子５４ｂとは同一形状に形成されており、タブ端子５５ａ，５４ｂは、一端部に外部との電気的接続に用いられる舌片６１が設けられ、他端部にタブ端子５４ａ，５５ｂの延設片５９の端部にそれぞれ溶着される溶着片６２が設けられ、舌片６１の基部に側方に突出する突起６３，６３が突設されている。
【００１３】
また、タブ端子５６ａ，５６ｂは、一端部に外部との電気的接続に用いられる舌片６４が設けられ、他端部に抵抗のリード線や電線などをかしめ固定するためのＵ字状の切欠部６５が設けられている。
【００１４】
ここで、図２２（ｂ）に示すように、ＺＣＴ１１の中央孔１１ａにタブ端子５４ａ，５５ｂの延設片５９，５９をそれぞれ挿通した状態で、タブ端子５４ａの延設片５９の端部に、タブ端子５５ａの溶着片６２を溶着或いは半田付けなどによって固着し、タブ端子５４ａ，５５ａ間（端子ｔ1a，ｔ2a間）を機械的且つ電気的に接続することにより、タブ端子５４ａ，５５ａから電路１５が構成される。また、タブ端子５５ｂの延設片５９の端部に、タブ端子５４ｂの溶着片６２を溶接或いは半田付けなどによって固着し、タブ端子５４ｂ，５５ｂ間（端子ｔ1b，ｔ2b間）を機械的且つ電気的に接続することにより、タブ端子５４ｂ，５５ｂから電路１５が構成される。そして、図２２（ｄ）に示すように、各タブ端子５４、５５、５６を、カバー５の平板５０に設けたかしめ孔（図示せず）に、カバー５の裏側から圧入すると、各タブ端子５４、５５、５６の舌片５７，６１，６４がカバー５の表面に露出して、各タブ端子５４、５５、５６がカバー５にそれぞれかしめ固定される。
【００１５】
そして、抵抗１３の両側のリード部をそれぞれタブ端子５４ａ，５６ａの切欠部５８，６５に挿入し、切欠部５８，６５の両側をかしめることによって、抵抗１３がタブ端子５４ａ，５６ａにかしめ固定され、タブ端子５４ａ（即ち交流入力端子ｔ1a）とタブ端子５６ａ（即ちテスト用端子ｔ6 ）とが抵抗１３を介して電気的に接続される。また、ジャンパ線１４の両端をそれぞれタブ端子５５ｂ，５６ｂの切欠部５８，６５に挿入し、切欠部５８，６５の両側をかしめることによって、ジャンパ線１４がタブ端子５５ｂ，５６ｂ（即ちテスト用端子ｔ7 ）とが電気的に接続される。従って、タブ端子５６ａ，５６ｂ間に接続されたテスト用スイッチ（図示せず）を用いて、電路Ｌ1 ，Ｌ2 ）に疑似的な漏電を発生させて、漏電検知器１の動作確認を行うことができる。
【００１６】
ところで、端子７ａを端子挿通孔４２に挿通させた状態で、プリント基板７をケース４内に納装した後に、両脚片５１，５１をケース４の内面に当接させながら、カバー５をケース４の開口に挿入すると、係止爪５３が係止孔４１と係止して、カバー５がケース４に固定される。この時、プリント基板７はケース４の底部に設けたリブ４３と、カバー５の脚片５１の端面５１ａとの間に挟持されて、ケース４及びカバー５内に固定される。なお、ＺＣＴ１１の出力線１１ｂはプリント基板７に半田付けされており、ＺＣＴ１１の漏電検知信号は信号処理部１０に入力される。
【００１７】
【発明が解決しようとする課題】
上記した従来の漏電検知器にあっては、交流入力端子ｔ1a，ｔ1b、交流出力端子ｔ2a，ｔ2bに用いられるタブ端子５４ａ，５４ｂ，５５ａ，５５ｂに大容量の電流が流れるので、タブ端子５４ａ，５４ｂ，５５ａ，５５ｂ間を絶縁するためのリブ５２をカバー５の上面に設ける必要があり、漏電遮断器１の高さ寸法が大きくなる問題があった。
【００１８】
また、交流入力端子ｔ1a，ｔ1b、交流出力端子ｔ2a，ｔ2bにそれぞれタブ端子５４ａ，５４ｂ，５５ａ，５５ｂを用いているので、端子の形状が大きくなり、タブ端子５４ａ，５５ａ又は５４ｂ，５５ｂを一体に接合した状態では、ＺＣＴ１１の中央孔１１ａに挿通させることができなかった。そのため、タブ端子５４ａ（５５ｂ）の延設片５９を中央孔１１ａに挿通した後にタブ端子５５ａ（５４ｂ）の溶着片６２を延設片５９の端部に溶着して、タブ端子５４ａ（５５ｂ）とタブ端子５５ａ（５４ｂ）とを一体に接合しており、組立の手間がかかるという問題点があった。
【００１９】
また、交流電源の入出力に用いるタブ端子５４，５５とは別に、テスト用スイッチを接続するためのテスト用端子ｔ6 ，ｔ7 を構成するタブ端子５６ａ，５６ｂを設ける必要があり、タブ端子５６ａ，５６ｂを取り付ける手間や、タブ端子５６ａ，５６ｂにテスト用スイッチを接続するための手間がかかるという問題もあった。さらに、タブ端子５６ａ，５６ｂとタブ端子５４ａ，５５ｂとの間にそれぞれ抵抗１３、ジャンパ線を１４かしめ固定して、テスト用回路１７を構成しなければならず、組立の手間ががるという問題もあった。
【００２０】
さらに、交流側の入出力端子ｔ1a，ｔ1b，ｔ2a，ｔ2bやテスト端子ｔ6 ，ｔ7 は、全てタブ端子５４，５５，５６から構成されているので、各タブ端子５４，５５，５６への結線を個々に行わなければならず、結線の手間がかかるという問題があった。また、各タブ端子５４，５５，５６に、いわゆる、ファストン端子を差し込む際に、ファストン端子を差し込む力が、漏電検知器１を実装したプリント基板（図示せず）に加わるため、プリント基板の破損等の不具合が発生するという問題もあった。
【００２１】
上記したこれらの問題点を解決するために、本願出願人は、特願平９−１７９８６６号に示す漏電遮断器を提案している。このものは、同一平面上で曲げられた曲がり部７２ａが両端部にそれぞれ設けられて一端側に交流電圧が印加されるとともに他端側から両交流用電路を通して負荷側に交流電圧を出力する両端子片７０ａ，７０ｂと、両交流用電路の漏電を検知するために両端子片７０ａ，７０ｂの両端部を導出した状態でそれぞれ挿通される挿通孔１１ａを設けて交流用電路の漏電を検知する零相変流器１１と、両端子片７０ａ，７０ｂのそれぞれの両端に設けられた幅狭部７３が貫通してかしめ固定される貫通孔４ａが複数個穿設されたケース４の底部であるベース４１と、を備えている。
【００２２】
さらに、本願出願人は、曲がり部７２ａと幅狭部７３との間に、局部的に幅広となるよう、突出片７０ｃを導出方向の両側に設けて改良したものを創作した。このものは、かしめ固定の際に、端子押え用治具１００によって、その突出片７０ｃをケース４の底部であるベース４１へ向かって押し付けることができるので、端子の固定がやり易くなり、かしめ用治具２００によるかしめ作業がやり易いものとなっている。
【００２３】
しかしながら、このものは、両側に設けた突出片７０ｃの一方が、曲がり部７２ａと同一平面上にあるために、曲がり部７２ａを迂回するよう、端子押え用治具１００を横から差し入れるようにしなければならず、必ずしも、かしめ作業がやり易いものとはいえなかった。
【００２４】
本発明は、上記の点に着目してなされたもので、その目的とするところは、端子片のかしめ作業がやり易い漏電検知器を提供することにある。
【００２５】
【課題を解決するための手段】
上記した課題を解決するために、請求項１記載の発明は、中央片及びその中央片から同方向に折曲された両脚片により略Ｕ字状に形成され、両端部である両脚片は同一平面上で曲げられた曲がり部がそれぞれ設けられて一端側に交流電圧が印加されるとともに他端側から両交流用電路を通して負荷側に交流電圧を出力する両端子片と、両交流用電路の漏電を検知するために両端子片の両端部を導出した状態でそれぞれ挿通される挿通孔を設けて交流用電路の漏電を検知する零相変流器と、両端子片のそれぞれの両端に設けられた幅狭部が貫通してかしめ固定される貫通孔が複数個穿設されたベースと、を備えた漏電検知器であって、前記両端子片は、前記曲がり部とは異なる平面に位置する異平面部が前記曲がり部と前記幅狭部との間に両側から立設するようにして設けられた構成にしてある。
【００２７】
請求項２記載の発明は、請求項１記載の発明において、前記曲がり部とは異なる平面に位置する異平面部は、２度折曲されてかしめ固定の際にベースと平行な面を成すよう前記曲がり部と前記幅狭部との間に設けられた異平面部と、この異平面部とは交差する異なる平面に位置する異種の異平面部であって２度直角に折曲されることによって前記曲がり部とは異なる平面に位置することとなった先端寄りの箇所の両側を局部的に幅広く形成するよう、幅狭部とは同一の平面に設けられている異種の異平面部とが、複数の異なる平面にそれぞれ設けられた構成にしてある。
【００２８】
【発明の実施の形態】
本発明の第１実施形態の漏電検知器１を図１乃至図８に基づいて以下に説明する。なお、この漏電検知器１の基本的な構成は、図１８に示す従来の漏電検知器１と同様であるので、その説明を省略し、このものの回路構成を図８に基づいて詳細に説明する。信号処理部１０はＩＣ１２及びトランジスタＴ1 〜Ｔ5 などから構成されており、電源入力端子ｔ8 ，ｔ9 を介して外部より直流電源が供給されている。
【００２９】
交流入力部たる交流入力端子ｔ1a，ｔ1bには交流電圧が印加されている。交流入力端子ｔ1a，ｔ1bは電路１５，１５を介して交流出力部たる交流出力端子ｔ2a，ｔ2bにそれぞれ接続されており、交流入力端子ｔ1a，ｔ1bに印加された交流電圧は交流出力端子ｔ2a，ｔ2bから両交流用電路を通して負荷に供給されている。ここで、交流入力端子ｔ1a，ｔ1bと交流出力端子ｔ2a，ｔ2bとを接続する電路１５，１５はＺＣＴ１１の中央孔に挿通され、ＺＣＴ１１は電路１５，１５に不平衡電流が流れるのを検知して、漏電検知信号を発生する。ＺＣＴ１１の出力線はＩＣ１２に接続されており、ＺＣＴ１１が漏電検知信号を発生すると、ＩＣ１２がＺＣＴ１１の漏電検知信号を増幅して、トランジスタＴ1 をオンし、外部出力端子ｔ5 からローレベルの漏電検知信号を外部へ出力するとともに、トランジスタＴ2 をオンする。トランジスタＴ2 がオンすると、トランジスタＴ4 ，Ｔ5 がそれぞれオンされて、遮断信号出力端子ｔ3 から外部の接点遮断器（図示せず）へローレベルの遮断信号が出力され、接点遮断器が漏電検知器１の遮断信号に基づいて交流電圧が印加されれための電路に設けた接点（図示せず）をオフし、負荷への電源供給を遮断する。
【００３０】
また、外部の検知手段（図示せず）から外部入力端子ｔ4 に漏電検知以外のハイレベルの検知信号が入力されると、トランジスタＴ3 がオンし、トランジスタＴ4 ，Ｔ5 がそれぞれオンして、遮断信号出力端子ｔ3 からローレベルの遮断信号が接点遮断器へ出力される。そして、接点遮断器が漏電検知器１の遮断信号に基づいて、交流電圧が印加されれための電路に設けた接点をオフし、負荷への電源供給を遮断する。
【００３１】
この漏電検知器１は、合成樹脂から成形された一面開口する略箱状のケース４から器体６が構成され、器体６の内部には上述した信号処理部１０を構成する回路が実装されたプリント基板７やＺＣＴ１１などが納装されている。
【００３２】
また、このものは、プリント基板７の四周の内の３辺には固定用の凸部７ｂが突設され、他の１辺には遮断信号出力端子ｔ3 、外部入力端子ｔ4 、遮断信号出力端子ｔ5 及び電源入力端子ｔ8 ，ｔ9 などの端子が配設された信号入出力部たるコネクタ７ｃが外方に向けて実装されており、プリント基板７の略中央にはＺＣＴ１１の出力端子１１ｃ，１１ｃが半田付けされるスルーホール７ｄ，７ｄが穿設されている。
【００３３】
一方、ケース４の側面には、プリント基板７の凸部７ｂに対応する部位に凸部７ｂと係止離脱自在に係止する係止孔４５が設けられ、プリント基板７に実装されたコネクタ７ｂと対応する部位にコネクタ７ｃを露出させる開口窓４７が形成されている。なお、係止孔４５の上方には傾斜面４６が形成されている。ケース４の底面略中央には、ＺＣＴ１１が配設される一面開口した略箱状の固定部たる枠体４８が突設され、枠体４８の対向する２辺にはそれぞれ一対の溝４８ａ，４８ａが設けられ、溝４８ａ，４８ａの間にはリブ４９が設けられている。また、ケース４底面の枠体４８の外側には、ケース４の内外を連通する４個の貫通孔が穿設されている。
【００３４】
このものは、図２に示すように、交流入力端子ｔ1aと交流出力端子ｔ2aとが一体に形成された端子片７０ａ，７０ｂを用いており、その端子片７０ａの一端側に交流電圧が印加されるとともに他端側から両交流用電路を通して負荷側に交流電圧を出力する。この端子片７０ａは、導電性の板金材料からなり、中央片７１及びその中央片７１から同方向に略直角に折曲された両脚片７２，７２により、略Ｕ字状に形成されている。この端子片７０ａの両端部である両脚片７２，７２は、同一平面上で曲げられた曲がり部７２ａがそれぞれ設けられている。これらの両脚片７２，７２は、それぞれの先端、つまり端子片７０ａの両端に幅狭部７３，７３が設けられており、それらの幅狭部７３，７３が交流入力端子ｔ1a及び交流出力端子ｔ2aをそれぞれ構成する。また、この端子片７０ａは、曲がり部７２ａと幅狭部７３との間に、両側から立設するようにして、曲がり部７２ａとは異なる平面に位置する異平面部７２ｂが設けられている。なお、交流入力端子ｔ1a及び交流出力端子ｔ2aを構成する端子片７０ｂも、端子片７０ａと同じ形状に形成されている。
【００３５】
ここで、両脚片７２，７２を外側に向け中央片７１を背中合わせにして、端子片７０ａ，７０ｂをＺＣＴ１１の中央孔（挿通孔）１１ａに挿通した状態で、ＺＣＴ１１を枠体４８に納装する。この時、端子片７０ａ，７０ｂの中央片７１，７１の両端はそれぞれ枠体４８に設けた溝４８ａ，４８ｂに挿入され、各脚片７２の幅狭部７３はケース４の底部をなすベース４１に設けた貫通孔４ａにそれぞれ圧入するようにして貫通して、幅狭部７３がケース４の裏面から外部に露出した状態で、貫通孔４ａにかしめ固定される。
【００３６】
次に、図３及び図４に基づいて、かしめ固定する手順について説明する。なお、図３では、ケース４を省略している。かしめ固定の際には、端子押え用治具１００によって、その異平面部７２ｂをケース４の底部であるベース４１へ向かって押し付けることにより、端子片７０ａ，７０ｂを固定した状態で、パンチ等のかしめ用治具２００によって、端子片７０ａ，７０ｂを貫通孔４ａにかしめ固定する。
【００３７】
ＺＣＴ１１をケース４に納装した後、プリント基板７をケース４の開口から挿入し、プリント基板７の凸部７ｂをケース４の係止孔４５にそれぞれ係止させて、プリント基板７をケース４に固定する。この時、ＺＣＴ１１の一対の出力端子１１ｃがプリント基板７に設けたスルーホール７ｄにそれぞれ挿通されて半田付けされることにより、ＺＣＴ１１の出力端子１１ｃがプリント基板７と電気的に接続される。また、プリント基板７に実装されたコネクタ７ｃは、ケース４の開口窓４７から外部に露出し、開口窓４７を介してコネクタ７ｃに相手側のコネクタ（図示せず）に接続される。
【００３８】
ところで、図９に示すように、ケース４の開口を覆う樹脂性の蓋８をケース４に被着しても良く、蓋８は例えば超音波溶着などによってケース４に固定される。
【００３９】
かかる漏電検知器にあっては、曲がり部７２ａとは異なる平面に位置する異平面部７２ｂが曲がり部７２ａと幅狭部７３との間に設けられた端子片７０ａ，７０ｂは、それらの端子片７０ａ，７０ｂの幅狭部７３がベース４１の貫通孔４ａに貫通してかしめ固定するために端子押え用治具１００によってベース４１へ向かって押し付けられるときに、曲がり部７２ａとは異なる平面に位置する異平面部７２ｂを押し付ければよいから、曲がり部７２ａを迂回するよう、端子押え用治具１００を横から差し入れるようなことをしなくてもよくなり、かしめ作業をやり易くすることができる。
【００４０】
次に、本発明の第２実施形態を図１０乃至図１３に基づいて以下に説明する。なお、第１実施形態と実質的に同一の機能を有する部材には同一の符号を付し、第１実施形態と異なるところのみ記す。第１実施形態では、異平面部７２ｂは、両側から立設するようにして設けられているのに対し、本実施形態では、２度直角に折曲されて、かしめ固定の際に、ベース４１と平行な面を成すよう設けられている。
【００４１】
かかる漏電検知器にあっては、第１実施形態と同様の効果を奏することができる。
【００４２】
次に、本発明の第３実施形態を図１４乃至図１７に基づいて以下に説明する。なお、第２実施形態と実質的に同一の機能を有する部材には同一の符号を付し、第２実施形態と異なるところを記す。本実施形態は、基本的には、第２実施形態と同様の構成であるが、第２実施形態における異平面部７２ｂ加えて、その第２実施形態における異平面部７２ｂとは交差する異なる平面に位置する異種の異平面部７２ｂ設けられている。
【００４３】
詳しくは、その異種の異平面部７２ｂは、２度直角に折曲されることによて、曲がり部７２ａとは異なる平面に位置することとなった先端寄りの箇所の両側を局部的に幅広く形成するよう、幅狭部とは同一の平面に設けられている。
【００４４】
かかる漏電検知器にあっては、第２実施形態の効果に加えて、幅狭部７３よりも幅が広いために貫通孔４ａに貫通されていない部分は、幅狭部７３と同一の平面に設けられた異平面部７２ｂをベース４１へ向かって押し付ける押付力が単に平行に加えられるのではなく、そのまま加えられることでもって、貫通孔４ａの開口縁部に押さえ付けられることになり、より確実に固定することができる。
【００４５】
また、複数の異なる平面にそれぞれ設けられた複数種の異平面部７２ｂが、ベース４１へ向かって押し付けられることによって、より確実に固定することができる。
【００４６】
【発明の効果】
請求項１記載の発明は、曲がり部とは異なる平面に位置する異平面部が曲がり部と幅狭部との間に設けられた端子片は、その幅狭部がベースの貫通孔に貫通してかしめ固定するために端子押え用治具によってベースへ向かって押し付けられるときに、曲がり部とは異なる平面に位置する異平面部を押し付ければよいから、曲がり部を迂回するよう、端子押え用治具を横から差し入れるようなことをしなくてもよくなり、かしめ作業をやり易くすることができる。
【００４８】
請求項２記載の発明は、請求項１記載の発明の効果に加えて、複数の異なる平面にそれぞれ設けられた複数種の異平面部が、ベースへ向かって押し付けられることによって、より確実に固定することができる。
【図面の簡単な説明】
【図１】本発明の第１実施形態の器体の分解斜視図である。
【図２】同上の端子片の斜視図である。
【図３】同上の端子片をかしめる状態を示す斜視図である。
【図４】同上の端子片をかしめる状態を示す断面図である。
【図５】同上の端子片がかしめられた状態を示す平面図である。
【図６】同上の端子片が器体に貫通した状態を示す斜視図である。
【図７】同上のプリント基板の斜視図である。
【図８】同上とは別の漏電遮断器の蓋を外した状態の斜視図である。
【図９】同上の回路図である。
【図１０】本発明の第２実施形態の端子片の斜視図である。
【図１１】同上の端子片をかしめる状態を示す斜視図である。
【図１２】同上の端子片をかしめる状態を示す断面図である。
【図１３】同上の端子がかしめられた状態を示す平面図である。
【図１４】本発明の第３実施形態の端子片の斜視図である。
【図１５】同上の端子片をかしめる状態を示す斜視図である。
【図１６】同上の端子片をかしめる状態を示す断面図である。
【図１７】同上の端子片がかしめられた状態を示す平面図である。
【図１８】従来例の概略構成図である。
【図１９】同上の分解斜視図である。
【図２０】同上の外観斜視図である。
【図２１】同上の断面図である。
【図２２】（ａ）〜（ｃ）は同上のものに用いるタブ端子を示す斜視図であり、（ｄ）はタブ端子をカバーに配設した状態を示す一部破砕せる斜視図である。
【図２３】本願出願人が既に提案したのものの器体の分解斜視図である。
【図２４】同上のものをさらに改良したものの端子に斜視図である。
【図２５】同上のものをさらに改良したものの端子を零相変流器に挿通した状態を示す斜視図である。
【図２６】同上のものをさらに改良したものの端子をかしめる状態を示す断面図である。
【図２７】同上のものをさらに改良したものの端子がかしめられた状態を示す平面図である。
【符号の説明】
４ａ    貫通孔
４１    ベース
１１    零相変流器
１１ａ  挿通孔
７０ａ  端子片
７０ｂ  端子片
７２ａ  曲がり部
７２ｂ  異平面部
７３    幅狭部
【図１】
0003956462.tif 000002
【図２】
0003956462.tif 000003
【図３】
0003956462.tif 000004
【図４】
0003956462.tif 000005
【図５】
0003956462.tif 000006
【図６】
0003956462.tif 000007
【図７】
0003956462.tif 000008
【図８】
0003956462.tif 000009
【図９】
0003956462.tif 000010
【図１０】
0003956462.tif 000011
【図１１】
0003956462.tif 000012
【図１２】
0003956462.tif 000013
【図１３】
0003956462.tif 000014
【図１４】
0003956462.tif 000015
【図１５】
0003956462.tif 000016
【図１６】
0003956462.tif 000017
【図１７】
0003956462.tif 000018
【図１８】
0003956462.tif 000019
【図１９】
0003956462.tif 000020
【図２０】
0003956462.tif 000021
【図２１】
0003956462.tif 000022
【図２２】
0003956462.tif 000023
【図２３】
0003956462.tif 000024
【図２４】
0003956462.tif 000025
【図２５】
0003956462.tif 000026
【図２６】
0003956462.tif 000027
【図２７】
0003956462.tif 000028